(57)【要約】【課題】ＬＡＮ経由のインターネット網の利用状況を監視してリアルタイムに表示するインターネット利用状況監視表示装置を提供する。【解決手段】インターネット利用状況監視装置１は、ＬＡＮに接続されたＰＣ４とインターネット網６に接続されたコンピュータとの間の信号５Ａから該信号５Ａに含まれるＰＣ４とインターネット網のコンピュータのそれぞれを示す各ＩＰアドレスを取得するとともに、インターネット網６のコンピュータのＩＰアドレスを基にして当該コンピュータの属するカテゴリを示すカテゴリＩＤを取得する。インターネット利用状況表示装置２は、取得されたＰＣ４のＩＰアドレスに対応する表示内容とカテゴリＩＤに対応する表示内容とを対応づけて表示する。【選択図】　　　図１
2004046526.tif 000002
【特許請求の範囲】
【請求項１】
ＬＡＮに接続されたコンピュータとインターネット網に接続されたコンピュータとの間の信号から該信号に含まれる当該ＬＡＮのコンピュータと当該インターネット網のコンピュータのそれぞれを示す各コンピュータ識別情報を取得するとともに、当該インターネット網のコンピュータのコンピュータ識別情報を基にして当該コンピュータの属するカテゴリを示すカテゴリ識別情報を取得するインターネット利用状況監視手段と、
前記取得されたＬＡＮのコンピュータのコンピュータ識別情報に対応する表示内容と前記取得されたカテゴリ識別情報に対応する表示内容とを対応づけて表示するインターネット利用状況表示手段と
を備えることを特徴とするインターネット利用状況監視表示装置。
【請求項２】
前記インターネット利用状況監視手段とインターネット利用状況表示手段とが別々のコンピュータに構成されている請求項１記載のインターネット利用状況監視表示装置。
【請求項３】
前記インターネット利用状況監視手段は、
インターネット網のコンピュータのコンピュータ識別情報とカテゴリ識別情報とが対応づけて記憶されるデータベースと、
前記取得したインターネット網のコンピュータのコンピュータ識別情報が当該データベースに記憶されたコンピュータ識別情報の一部または全部に一致するときに当該コンピュータ識別情報に対応づけられたカテゴリ識別情報を取得する手段と
を備えることを特徴とする請求項１または２記載のインターネット利用状況監視表示装置。
【請求項４】
前記インターネット利用状況監視手段は、
インターネット網のコンピュータのコンピュータ識別情報とカテゴリ識別情報とが対応づけて記憶されるデータベースと、
前記取得したインターネット網のコンピュータのコンピュータ識別情報が当該データベースに記憶されたコンピュータ識別情報の一部または全部に一致しないときに、当該取得したコンピュータ識別情報とカテゴリ識別情報を対応づけて当該データベースに記憶させる手段と
を備えることを特徴とする請求項１または２記載のインターネット利用状況監視表示装置。
【請求項５】
前記インターネット利用状況表示手段は、
前記インターネット利用状況監視手段により取得されたＬＡＮのコンピュータのコンピュータ識別情報とカテゴリ識別情報と当該取得の際の時刻とを対応づけて記憶する手段と、
該手段に同一のコンピュータ識別情報及びカテゴリ識別情報とともにそれぞれ記憶された各時刻の中の最初の時刻と最後の時刻との差分を求め表示する手段とを備えることを特徴とする請求項１ないし４のいずれかに記載のインターネット利用状況監視表示装置。
【請求項６】
前記インターネット利用状況表示手段は、
前記インターネット利用状況監視手段により取得されたＬＡＮのコンピュータのコンピュータ識別情報とカテゴリ識別情報と当該取得の際の時刻とを対応づけて記憶する手段と、
該手段に同一のコンピュータ識別情報及びカテゴリ識別情報が予め設定された時間内に予め設定された回数記憶されないときに当該コンピュータ識別情報に対応する表示内容の消去を行う手段と
を備えることを特徴とする請求項１ないし４のいずれかに記載のインターネット利用状況監視表示装置。
【請求項７】
前記インターネット利用状況表示手段は、
前記インターネット利用状況監視手段により取得されたＬＡＮのコンピュータのコンピュータ識別情報に対応する表示部分を前記取得されたカテゴリ識別情報に応じた色または模様で表示することを特徴とする請求項１ないし６のいずれかに記載のインターネット利用状況監視表示装置。
【請求項８】
ＬＡＮに接続されたコンピュータとインターネット網に接続されたコンピュータとの間の信号から該信号に含まれる当該ＬＡＮのコンピュータと当該インターネット網のコンピュータのそれぞれを示す各コンピュータ識別情報を取得するとともに、当該インターネット網のコンピュータのコンピュータ識別情報を基にして当該コンピュータの属するカテゴリを示すカテゴリ識別情報を取得し、この取得したＬＡＮのコンピュータのコンピュータ識別情報とカテゴリ識別情報を、当該ＬＡＮのコンピュータのコンピュータ識別情報に対応する表示内容と当該カテゴリ識別情報に対応する表示内容とを対応づけて表示するインターネット利用状況表示装置に送信することを特徴とするインターネット利用状況監視装置。
【請求項９】
ＬＡＮに接続されたコンピュータとインターネット網に接続されたコンピュータとの間の信号から該信号に含まれる当該ＬＡＮのコンピュータと当該インターネット網のコンピュータのそれぞれを示す各コンピュータ識別情報を取得するとともに、当該インターネット網のコンピュータのコンピュータ識別情報を基にして当該コンピュータの属するカテゴリを示すカテゴリ識別情報を取得するインターネット利用状況監視装置から前記取得されたＬＡＮのコンピュータのコンピュータ識別情報とカテゴリ識別情報を送信されると、当該送信されたＬＡＮのコンピュータのコンピュータ識別情報に対応する表示内容と当該送信されたカテゴリ識別情報に対応する表示内容とを対応づけて表示することを特徴とするインターネット利用状況表示装置。
【請求項１０】
インターネット網の利用状況を監視表示するインターネット利用状況監視表示装置が、ＬＡＮに接続されたコンピュータとインターネット網に接続されたコンピュータとの間の信号から該信号に含まれる当該ＬＡＮのコンピュータと当該インターネット網のコンピュータのそれぞれを示す各コンピュータ識別情報を取得するとともに、当該インターネット網のコンピュータのコンピュータ識別情報を基にして当該コンピュータの属するカテゴリを示すカテゴリ識別情報を取得するインターネット利用状況監視段階と、
前記インターネット利用状況監視表示装置が、前記取得されたＬＡＮのコンピュータのコンピュータ識別情報に対応する表示内容と前記取得されたカテゴリ識別情報に対応する表示内容とを対応づけて表示するインターネット利用状況表示段階と
を備えることを特徴とするインターネット利用状況監視表示方法。
【請求項１１】
前記インターネット利用状況監視段階は、
インターネット網のコンピュータのコンピュータ識別情報とカテゴリ識別情報とが対応づけてデータベースに記憶されているときに、
前記取得したインターネット網のコンピュータのコンピュータ識別情報が当該データベースに記憶されたコンピュータ識別情報の一部または全部に一致するときに当該コンピュータ識別情報に対応づけられたカテゴリ識別情報を取得する
ことを特徴とする請求項１０記載のインターネット利用状況監視表示方法。
【請求項１２】
前記インターネット利用状況表示段階は、
前記インターネット利用状況監視段階で取得されたＬＡＮのコンピュータのコンピュータ識別情報とカテゴリ識別情報と当該取得の際の時刻とを対応づけて記憶する段階と、
該段階で同一のコンピュータ識別情報及びカテゴリ識別情報とともにそれぞれ記憶された各時刻の中の最初の時刻と最後の時刻との差分を求め表示する段階とを備えることを特徴とする請求項１０または１１記載のインターネット利用状況監視表示方法。
【請求項１３】
前記インターネット利用状況表示段階は、
前記インターネット利用状況監視段階で取得されたＬＡＮのコンピュータのコンピュータ識別情報に対応する表示部分を前記取得されたカテゴリ識別情報に応じた色または模様で表示することを特徴とする請求項１０ないし１２のいずれかに記載のインターネット利用状況監視表示方法。
【請求項１４】
インターネット網の利用状況を監視するインターネット利用状況監視装置が、ＬＡＮに接続されたコンピュータとインターネット網に接続されたコンピュータとの間の信号から該信号に含まれる当該ＬＡＮのコンピュータと当該インターネット網のコンピュータのそれぞれを示す各コンピュータ識別情報を取得するとともに、当該インターネット網のコンピュータのコンピュータ識別情報を基にして当該コンピュータの属するカテゴリを示すカテゴリ識別情報を取得し、この取得したＬＡＮのコンピュータのコンピュータ識別情報とカテゴリ識別情報を、当該ＬＡＮのコンピュータのコンピュータ識別情報に対応する表示内容と当該カテゴリ識別情報に対応する表示内容とを対応づけて表示するインターネット利用状況表示装置に送信することを特徴とするインターネット利用状況監視方法。
【請求項１５】
ＬＡＮに接続されたコンピュータとインターネット網に接続されたコンピュータとの間の信号から該信号に含まれる当該ＬＡＮのコンピュータと当該インターネット網のコンピュータのそれぞれを示す各コンピュータ識別情報を取得するとともに、当該インターネット網のコンピュータのコンピュータ識別情報を基にして当該コンピュータの属するカテゴリを示すカテゴリ識別情報を取得するインターネット利用状況監視装置から前記取得されたＬＡＮのコンピュータのコンピュータ識別情報とカテゴリ識別情報を送信されたインターネット利用状況表示装置が、当該送信されたＬＡＮのコンピュータのコンピュータ識別情報に対応する表示内容と当該送信されたカテゴリ識別情報に対応する表示内容とを対応づけて表示することを特徴とするインターネット利用状況表示方法。
【請求項１６】
請求項１０ないし１３のいずれかに記載のインターネット利用状況監視表示方法を実行させるコンピュータプログラム。
【請求項１７】
請求項１４に記載のインターネット利用状況監視方法を実行させるコンピュータプログラム。
【請求項１８】
請求項１５に記載のインターネット利用状況表示方法を実行させるコンピュータプログラム。
【請求項１９】
請求項１０ないし１３のいずれかに記載のインターネット利用状況監視表示方法を実行させるコンピュータプログラムを記録した記録媒体。
【請求項２０】
請求項１４に記載のインターネット利用状況監視方法を実行させるコンピュータプログラムを記録した記録媒体。
【請求項２１】
請求項１５に記載のインターネット利用状況表示方法を実行させるコンピュータプログラムを記録した記録媒体。
【発明の詳細な説明】
【０００１】
【発明の属する技術分野】
本発明は、ＬＡＮ経由のインターネット網の利用状況を監視してリアルタイムに表示するインターネット利用状況監視表示装置及び関連技術に関する。
【０００２】
【従来の技術】
近年では、企業での業務効率アップのためＬＡＮ導入が増加しており、ＬＡＮ経由のインターネット網への接続の環境も整備されてきている。また家庭においても通信機器の低価格化によりＬＡＮ導入が増加し、ＬＡＮ経由で誰もが簡単にインターネット網に接続できるようになってきている。
【０００３】
【発明が解決しようとする課題】
しかしながら、ＬＡＮ経由のインターネット網接続が可能になると、業務以外の私的利用や、本来の目的以外の利用が行われるようなる。これまでは、ＬＡＮ経由のインターネット利用状況を把握するために、ＬＡＮの信号監視により情報を得ることはできたが、それが正当な利用であるかは人が判断する必要があった。したがって、簡単かつリアルタイムにインターネット利用状況を把握するためのしくみが求められている。
【０００４】
そこで本発明は、上記の従来の課題に鑑みてなされたものであり、その目的とするところは、ＬＡＮ経由のインターネット網の利用状況を監視してリアルタイムに表示するインターネット利用状況監視表示装置及びその方法、ＬＡＮ経由のインターネット網の利用状況を監視するインターネット利用状況監視装置及びその方法、ＬＡＮ経由のインターネット網の利用状況を表示するインターネット利用状況表示装置及びその方法、これら方法を実行させるコンピュータプログラム及びこのコンピュータプログラムを記録した記録媒体を提供することにある。
【０００５】
【課題を解決するための手段】
上記従来の課題を解決するために、請求項１記載の本発明は、ＬＡＮに接続されたコンピュータとインターネット網に接続されたコンピュータとの間の信号から該信号に含まれる当該ＬＡＮのコンピュータと当該インターネット網のコンピュータのそれぞれを示す各コンピュータ識別情報を取得するとともに、当該インターネット網のコンピュータのコンピュータ識別情報を基にして当該コンピュータの属するカテゴリを示すカテゴリ識別情報を取得するインターネット利用状況監視手段と、前記取得されたＬＡＮのコンピュータのコンピュータ識別情報に対応する表示内容と前記取得されたカテゴリ識別情報に対応する表示内容とを対応づけて表示するインターネット利用状況表示手段とを備えることを特徴とするインターネット利用状況監視表示装置をもって解決手段とする。
【０００６】
請求項１記載の本発明は、ＬＡＮに接続されたコンピュータとインターネット網に接続されたコンピュータとの間の信号から該信号に含まれる当該ＬＡＮのコンピュータと当該インターネット網のコンピュータのそれぞれを示す各コンピュータ識別情報を取得するとともに、当該インターネット網のコンピュータのコンピュータ識別情報を基にして当該コンピュータの属するカテゴリを示すカテゴリ識別情報を取得するインターネット利用状況監視手段と、前記取得されたＬＡＮのコンピュータのコンピュータ識別情報に対応する表示内容と前記取得されたカテゴリ識別情報に対応する表示内容とを対応づけて表示するインターネット利用状況表示手段とを備えるので、ＬＡＮ経由のインターネット網の利用状況を監視してリアルタイムに表示することができる。
【０００７】
また、請求項２記載の本発明は、前記インターネット利用状況監視手段とインターネット利用状況表示手段とが別々のコンピュータに構成されている請求項１記載のインターネット利用状況監視表示装置をもって解決手段とする。
【０００８】
請求項２記載の本発明は、前記インターネット利用状況監視手段とインターネット利用状況表示手段とが別々のコンピュータに構成されている。
【０００９】
また、請求項３記載の本発明は、前記インターネット利用状況監視手段は、インターネット網のコンピュータのコンピュータ識別情報とカテゴリ識別情報とが対応づけて記憶されるデータベースと、前記取得したインターネット網のコンピュータのコンピュータ識別情報が当該データベースに記憶されたコンピュータ識別情報の一部または全部に一致するときに当該コンピュータ識別情報に対応づけられたカテゴリ識別情報を取得する手段とを備えることを特徴とする請求項１または２記載のインターネット利用状況監視表示装置をもって解決手段とする。
【００１０】
請求項３記載の本発明は、前記インターネット利用状況監視手段は、インターネット網のコンピュータのコンピュータ識別情報とカテゴリ識別情報とが対応づけて記憶されるデータベースと、前記取得したインターネット網のコンピュータのコンピュータ識別情報が当該データベースに記憶されたコンピュータ識別情報の一部または全部に一致するときに当該コンピュータ識別情報に対応づけられたカテゴリ識別情報を取得する手段とを備えるので、ＬＡＮ経由のインターネット網の利用状況を監視してリアルタイムに表示することができる。
【００１１】
また、請求項４記載の本発明は、前記インターネット利用状況監視手段は、インターネット網のコンピュータのコンピュータ識別情報とカテゴリ識別情報とが対応づけて記憶されるデータベースと、前記取得したインターネット網のコンピュータのコンピュータ識別情報が当該データベースに記憶されたコンピュータ識別情報の一部または全部に一致しないときに、当該取得したコンピュータ識別情報とカテゴリ識別情報を対応づけて当該データベースに記憶させる手段とを備えることを特徴とする請求項１または２記載のインターネット利用状況監視表示装置をもって解決手段とする。
【００１２】
請求項４記載の本発明は、前記インターネット利用状況監視手段は、インターネット網のコンピュータのコンピュータ識別情報とカテゴリ識別情報とが対応づけて記憶されるデータベースと、前記取得したインターネット網のコンピュータのコンピュータ識別情報が当該データベースに記憶されたコンピュータ識別情報の一部または全部に一致しないときに、当該取得したコンピュータ識別情報とカテゴリ識別情報を対応づけて当該データベースに記憶させる手段とを備えるので、ＬＡＮ経由のインターネット網の利用状況を監視してリアルタイムに表示することができる。また、請求項５記載の本発明は、前記インターネット利用状況表示手段は、前記インターネット利用状況監視手段により取得されたＬＡＮのコンピュータのコンピュータ識別情報とカテゴリ識別情報と当該取得の際の時刻とを対応づけて記憶する手段と、該手段に同一のコンピュータ識別情報及びカテゴリ識別情報とともにそれぞれ記憶された各時刻の中の最初の時刻と最後の時刻との差分を求め表示する手段とを備えることを特徴とする請求項１ないし４のいずれかに記載のインターネット利用状況監視表示装置をもって解決手段とする。
【００１３】
請求項５記載の本発明は、前記インターネット利用状況表示手段は、前記インターネット利用状況監視手段により取得されたＬＡＮのコンピュータのコンピュータ識別情報とカテゴリ識別情報と当該取得の際の時刻とを対応づけて記憶する手段と、該手段に同一のコンピュータ識別情報及びカテゴリ識別情報とともにそれぞれ記憶された各時刻の中の最初の時刻と最後の時刻との差分を求め表示する手段とを備えるので、ＬＡＮ経由のインターネット網の利用状況を監視してリアルタイムに利用時間を表示することができる。
【００１４】
また、請求項６記載の本発明は、前記インターネット利用状況表示手段は、前記インターネット利用状況監視手段により取得されたＬＡＮのコンピュータのコンピュータ識別情報とカテゴリ識別情報と当該取得の際の時刻とを対応づけて記憶する手段と、該手段に同一のコンピュータ識別情報及びカテゴリ識別情報が予め設定された時間内に予め設定された回数記憶されないときに当該コンピュータ識別情報に対応する表示内容の消去を行う手段とを備えることを特徴とする請求項１ないし４のいずれかに記載のインターネット利用状況監視表示装置をもって解決手段とする。
【００１５】
請求項６記載の本発明は、前記インターネット利用状況表示手段は、前記インターネット利用状況監視手段により取得されたＬＡＮのコンピュータのコンピュータ識別情報とカテゴリ識別情報と当該取得の際の時刻とを対応づけて記憶する手段と、該手段に同一のコンピュータ識別情報及びカテゴリ識別情報が予め設定された時間内に予め設定された回数記憶されないときに当該コンピュータ識別情報に対応する表示内容の消去を行う手段とを備えるので、ＬＡＮ経由のインターネット網の利用状況を消去することができる。
【００１６】
また、請求項７記載の本発明は、前記インターネット利用状況表示手段は、前記インターネット利用状況監視手段により取得されたＬＡＮのコンピュータのコンピュータ識別情報に対応する表示部分を前記取得されたカテゴリ識別情報に応じた色または模様で表示することを特徴とする請求項１ないし６のいずれかに記載のインターネット利用状況監視表示装置をもって解決手段とする。
【００１７】
請求項７記載の本発明は、前記インターネット利用状況表示手段は、前記インターネット利用状況監視手段により取得されたＬＡＮのコンピュータのコンピュータ識別情報に対応する表示部分を前記取得されたカテゴリ識別情報に応じた色または模様で表示するので、ＬＡＮ経由のインターネット網の利用状況を色または模様で表示することができる。
【００１８】
また、請求項８記載の本発明は、ＬＡＮに接続されたコンピュータとインターネット網に接続されたコンピュータとの間の信号から該信号に含まれる当該ＬＡＮのコンピュータと当該インターネット網のコンピュータのそれぞれを示す各コンピュータ識別情報を取得するとともに、当該インターネット網のコンピュータのコンピュータ識別情報を基にして当該コンピュータの属するカテゴリを示すカテゴリ識別情報を取得し、この取得したＬＡＮのコンピュータのコンピュータ識別情報とカテゴリ識別情報を、当該ＬＡＮのコンピュータのコンピュータ識別情報に対応する表示内容と当該カテゴリ識別情報に対応する表示内容とを対応づけて表示するインターネット利用状況表示装置に送信することを特徴とするインターネット利用状況監視装置をもって解決手段とする。
【００１９】
請求項８記載の本発明は、ＬＡＮに接続されたコンピュータとインターネット網に接続されたコンピュータとの間の信号から該信号に含まれる当該ＬＡＮのコンピュータと当該インターネット網のコンピュータのそれぞれを示す各コンピュータ識別情報を取得するとともに、当該インターネット網のコンピュータのコンピュータ識別情報を基にして当該コンピュータの属するカテゴリを示すカテゴリ識別情報を取得し、この取得したＬＡＮのコンピュータのコンピュータ識別情報とカテゴリ識別情報を、当該ＬＡＮのコンピュータのコンピュータ識別情報に対応する表示内容と当該カテゴリ識別情報に対応する表示内容とを対応づけて表示するインターネット利用状況表示装置に送信するので、ＬＡＮ経由のインターネット網の利用状況を監視してインターネット利用状況表示装置でリアルタイムに表示させることができる。
【００２０】
また、請求項９記載の本発明は、ＬＡＮに接続されたコンピュータとインターネット網に接続されたコンピュータとの間の信号から該信号に含まれる当該ＬＡＮのコンピュータと当該インターネット網のコンピュータのそれぞれを示す各コンピュータ識別情報を取得するとともに、当該インターネット網のコンピュータのコンピュータ識別情報を基にして当該コンピュータの属するカテゴリを示すカテゴリ識別情報を取得するインターネット利用状況監視装置から前記取得されたＬＡＮのコンピュータのコンピュータ識別情報とカテゴリ識別情報を送信されると、当該送信されたＬＡＮのコンピュータのコンピュータ識別情報に対応する表示内容と当該送信されたカテゴリ識別情報に対応する表示内容とを対応づけて表示することを特徴とするインターネット利用状況表示装置をもって解決手段とする。
【００２１】
請求項９記載の本発明は、ＬＡＮに接続されたコンピュータとインターネット網に接続されたコンピュータとの間の信号から該信号に含まれる当該ＬＡＮのコンピュータと当該インターネット網のコンピュータのそれぞれを示す各コンピュータ識別情報を取得するとともに、当該インターネット網のコンピュータのコンピュータ識別情報を基にして当該コンピュータの属するカテゴリを示すカテゴリ識別情報を取得するインターネット利用状況監視装置から前記取得されたＬＡＮのコンピュータのコンピュータ識別情報とカテゴリ識別情報を送信されると、当該送信されたＬＡＮのコンピュータのコンピュータ識別情報に対応する表示内容と当該送信されたカテゴリ識別情報に対応する表示内容とを対応づけて表示するので、ＬＡＮ経由のインターネット網の利用状況をリアルタイムに表示することができる。
【００２２】
また、請求項１０記載の本発明は、インターネット網の利用状況を監視表示するインターネット利用状況監視表示装置が、ＬＡＮに接続されたコンピュータとインターネット網に接続されたコンピュータとの間の信号から該信号に含まれる当該ＬＡＮのコンピュータと当該インターネット網のコンピュータのそれぞれを示す各コンピュータ識別情報を取得するとともに、当該インターネット網のコンピュータのコンピュータ識別情報を基にして当該コンピュータの属するカテゴリを示すカテゴリ識別情報を取得するインターネット利用状況監視段階と、前記インターネット利用状況監視表示装置が、前記取得されたＬＡＮのコンピュータのコンピュータ識別情報に対応する表示内容と前記取得されたカテゴリ識別情報に対応する表示内容とを対応づけて表示するインターネット利用状況表示段階とを備えることを特徴とするインターネット利用状況監視表示方法をもって解決手段とする。
【００２３】
請求項１０記載の本発明は、インターネット網の利用状況を監視表示するインターネット利用状況監視表示装置が、ＬＡＮに接続されたコンピュータとインターネット網に接続されたコンピュータとの間の信号から該信号に含まれる当該ＬＡＮのコンピュータと当該インターネット網のコンピュータのそれぞれを示す各コンピュータ識別情報を取得するとともに、当該インターネット網のコンピュータのコンピュータ識別情報を基にして当該コンピュータの属するカテゴリを示すカテゴリ識別情報を取得するインターネット利用状況監視段階と、前記インターネット利用状況監視表示装置が、前記取得されたＬＡＮのコンピュータのコンピュータ識別情報に対応する表示内容と前記取得されたカテゴリ識別情報に対応する表示内容とを対応づけて表示するインターネット利用状況表示段階とを備えるので、ＬＡＮ経由のインターネット網の利用状況を監視してリアルタイムに表示することができる。
【００２４】
また、請求項１１記載の本発明は、前記インターネット利用状況監視段階は、インターネット網のコンピュータのコンピュータ識別情報とカテゴリ識別情報とが対応づけてデータベースに記憶されているときに、前記取得したインターネット網のコンピュータのコンピュータ識別情報が当該データベースに記憶されたコンピュータ識別情報の一部または全部に一致するときに当該コンピュータ識別情報に対応づけられたカテゴリ識別情報を取得することを特徴とする請求項１０記載のインターネット利用状況監視表示方法をもって解決手段とする。
【００２５】
請求項１１記載の本発明は、前記インターネット利用状況監視段階は、インターネット網のコンピュータのコンピュータ識別情報とカテゴリ識別情報とが対応づけてデータベースに記憶されているときに、前記取得したインターネット網のコンピュータのコンピュータ識別情報が当該データベースに記憶されたコンピュータ識別情報の一部または全部に一致するときに当該コンピュータ識別情報に対応づけられたカテゴリ識別情報を取得するので、ＬＡＮ経由のインターネット網の利用状況を監視してリアルタイムに表示することができる。
【００２６】
また、請求項１２記載の本発明は、前記インターネット利用状況表示段階は、前記インターネット利用状況監視段階で取得されたＬＡＮのコンピュータのコンピュータ識別情報とカテゴリ識別情報と当該取得の際の時刻とを対応づけて記憶する段階と、該段階で同一のコンピュータ識別情報及びカテゴリ識別情報とともにそれぞれ記憶された各時刻の中の最初の時刻と最後の時刻との差分を求め表示する段階とを備えることを特徴とする請求項１０または１１記載のインターネット利用状況監視表示方法をもって解決手段とする。
【００２７】
請求項１２記載の本発明は、前記インターネット利用状況表示段階は、前記インターネット利用状況監視段階で取得されたＬＡＮのコンピュータのコンピュータ識別情報とカテゴリ識別情報と当該取得の際の時刻とを対応づけて記憶する段階と、該段階で同一のコンピュータ識別情報及びカテゴリ識別情報とともにそれぞれ記憶された各時刻の中の最初の時刻と最後の時刻との差分を求め表示する段階とを備えるので、ＬＡＮ経由のインターネット網の利用状況を監視してリアルタイムに利用時間を表示することができる。
【００２８】
また、請求項１３記載の本発明は、前記インターネット利用状況表示段階は、前記インターネット利用状況監視段階で取得されたＬＡＮのコンピュータのコンピュータ識別情報に対応する表示部分を前記取得されたカテゴリ識別情報に応じた色または模様で表示することを特徴とする請求項１０ないし１２のいずれかに記載のインターネット利用状況監視表示方法をもって解決手段とする。
【００２９】
請求項１３記載の本発明は、前記インターネット利用状況表示段階は、前記インターネット利用状況監視段階で取得されたＬＡＮのコンピュータのコンピュータ識別情報に対応する表示部分を前記取得されたカテゴリ識別情報に応じた色または模様で表示するので、ＬＡＮ経由のインターネット網の利用状況を色または模様で表示することができる。
【００３０】
また、請求項１４記載の本発明は、インターネット網の利用状況を監視するインターネット利用状況監視装置が、ＬＡＮに接続されたコンピュータとインターネット網に接続されたコンピュータとの間の信号から該信号に含まれる当該ＬＡＮのコンピュータと当該インターネット網のコンピュータのそれぞれを示す各コンピュータ識別情報を取得するとともに、当該インターネット網のコンピュータのコンピュータ識別情報を基にして当該コンピュータの属するカテゴリを示すカテゴリ識別情報を取得し、この取得したＬＡＮのコンピュータのコンピュータ識別情報とカテゴリ識別情報を、当該ＬＡＮのコンピュータのコンピュータ識別情報に対応する表示内容と当該カテゴリ識別情報に対応する表示内容とを対応づけて表示するインターネット利用状況表示装置に送信することを特徴とするインターネット利用状況監視方法をもって解決手段とする。
【００３１】
請求項１４記載の本発明は、インターネット網の利用状況を監視するインターネット利用状況監視装置が、ＬＡＮに接続されたコンピュータとインターネット網に接続されたコンピュータとの間の信号から該信号に含まれる当該ＬＡＮのコンピュータと当該インターネット網のコンピュータのそれぞれを示す各コンピュータ識別情報を取得するとともに、当該インターネット網のコンピュータのコンピュータ識別情報を基にして当該コンピュータの属するカテゴリを示すカテゴリ識別情報を取得し、この取得したＬＡＮのコンピュータのコンピュータ識別情報とカテゴリ識別情報を、当該ＬＡＮのコンピュータのコンピュータ識別情報に対応する表示内容と当該カテゴリ識別情報に対応する表示内容とを対応づけて表示するインターネット利用状況表示装置に送信するので、ＬＡＮ経由のインターネット網の利用状況を監視してインターネット利用状況表示装置でリアルタイムに表示させることができる。
【００３２】
また、請求項１５記載の本発明は、ＬＡＮに接続されたコンピュータとインターネット網に接続されたコンピュータとの間の信号から該信号に含まれる当該ＬＡＮのコンピュータと当該インターネット網のコンピュータのそれぞれを示す各コンピュータ識別情報を取得するとともに、当該インターネット網のコンピュータのコンピュータ識別情報を基にして当該コンピュータの属するカテゴリを示すカテゴリ識別情報を取得するインターネット利用状況監視装置から前記取得されたＬＡＮのコンピュータのコンピュータ識別情報とカテゴリ識別情報を送信されたインターネット利用状況表示装置が、当該送信されたＬＡＮのコンピュータのコンピュータ識別情報に対応する表示内容と当該送信されたカテゴリ識別情報に対応する表示内容とを対応づけて表示することを特徴とするインターネット利用状況表示方法をもって解決手段とする。
【００３３】
請求項１５記載の本発明は、ＬＡＮに接続されたコンピュータとインターネット網に接続されたコンピュータとの間の信号から該信号に含まれる当該ＬＡＮのコンピュータと当該インターネット網のコンピュータのそれぞれを示す各コンピュータ識別情報を取得するとともに、当該インターネット網のコンピュータのコンピュータ識別情報を基にして当該コンピュータの属するカテゴリを示すカテゴリ識別情報を取得するインターネット利用状況監視装置から前記取得されたＬＡＮのコンピュータのコンピュータ識別情報とカテゴリ識別情報を送信されたインターネット利用状況表示装置が、当該送信されたＬＡＮのコンピュータのコンピュータ識別情報に対応する表示内容と当該送信されたカテゴリ識別情報に対応する表示内容とを対応づけて表示するので、ＬＡＮ経由のインターネット網の利用状況をリアルタイムに表示することができる。
【００３４】
また、請求項１６記載の本発明は、請求項１０ないし１３のいずれかに記載のインターネット利用状況監視表示方法を実行させるコンピュータプログラムをもって解決手段とする。
【００３５】
請求項１６記載の本発明は、請求項１０ないし１３のいずれかに記載のインターネット利用状況監視表示方法を実行させるコンピュータプログラムにより流通性を高めるようにしている。
【００３６】
また、請求項１７記載の本発明は、請求項１４に記載のインターネット利用状況監視方法を実行させるコンピュータプログラムをもって解決手段とする。
【００３７】
請求項１７記載の本発明は、請求項１４に記載のインターネット利用状況監視方法を実行させるコンピュータプログラムにより流通性を高めるようにしている。
【００３８】
また、請求項１８記載の本発明は、請求項１５に記載のインターネット利用状況表示方法を実行させるコンピュータプログラムをもって解決手段とする。
【００３９】
請求項１８記載の本発明は、請求項１５に記載のインターネット利用状況表示方法を実行させるコンピュータプログラムにより流通性を高めるようにしている。
【００４０】
また、請求項１９記載の本発明は、請求項１０ないし１３のいずれかに記載のインターネット利用状況監視表示方法を実行させるコンピュータプログラムを記録した記録媒体をもって解決手段とする。
【００４１】
請求項１９記載の本発明は、請求項１０ないし１３のいずれかに記載のインターネット利用状況監視表示方法を実行させるコンピュータプログラムを記録した記録媒体により流通性を高めるようにしている。
【００４２】
また、請求項２０記載の本発明は、請求項１４に記載のインターネット利用状況監視方法を実行させるコンピュータプログラムを記録した記録媒体をもって解決手段とする。
【００４３】
請求項２０記載の本発明は、請求項１４に記載のインターネット利用状況監視方法を実行させるコンピュータプログラムを記録した記録媒体により流通性を高めるようにしている。
【００４４】
また、請求項２１記載の本発明は、請求項１５に記載のインターネット利用状況表示方法を実行させるコンピュータプログラムを記録した記録媒体をもって解決手段とする。
【００４５】
請求項２１記載の本発明は、請求項１５に記載のインターネット利用状況表示方法を実行させるコンピュータプログラムを記録した記録媒体により流通性を高めるようにしている。
【００４６】
【発明の実施の形態】
以下、本発明の一実施の形態を図面を参照して説明する。
【００４７】
図１は、本発明の一実施の形態におけるネットワークの構成を示す図である。
【００４８】
図１に示すように企業や宅内のＬＡＮ（ローカルエリアネットワーク：Ｌｏｃａｌ　Ａｒｅａ　Ｎｅｔｗｏｒｋ）において、インターネット網の利用状況を監視するインターネット利用状況監視装置１と利用状況を表示するインターネット利用状況表示装置２とが接続され、インターネット利用状況監視装置１はインターネット接続装置３とパーソナルコンピュータ（ＰＣ）４，４，４，…との間の通信回線５に接続されている。インターネット接続装置３はインターネット網６に接続されている。
【００４９】
通信回線５には、ＰＣ４のＩＰアドレスと該ＰＣ４の最終的な接続先であるインターネット網６のコンピュータ（以下、単に接続先という）のＩＰアドレスとを含む信号５Ａが流れている。最終的な接続先とは、インターネット網６に含まれるウェブサーバなどである。
【００５０】
インターネット利用状況監視装置１は、信号５Ａを監視するネットワーク監視部１１と、信号５Ａに含まれる情報の登録を行う情報登録部１２と、図２に示すように、このＰＣ４の接続先のコンピュータの属するカテゴリ（例えば、仕事、旅行、検索、コミュニティ等）を示すカテゴリ識別情報（以下、識別情報をＩＤという）および必ず利用状況を表示するか否かを示す表示フラグが記憶される情報データベース（ＤＢ）１３と、情報ＤＢ１３を照会してインターネット利用状況表示装置２へ送信する情報を取得する照会情報制御部１４と、照会情報制御部１４が取得した情報をインターネット利用状況表示装置２に送信する送信部１５とを備えたコンピュータシステムであり、予め設定されたコンピュータプログラムによりインターネット利用状況監視方法を実行する。
【００５１】
インターネット利用状況表示装置２は、インターネット利用状況監視装置１から送信された情報を受信する受信部２１と、この受信した情報を記憶する情報記憶部２２と、情報記憶部２２の情報を基に利用状況の表示をさせるための表示情報を生成する情報表示制御部２３と、情報表示制御部２３が生成した表示情報を基に利用状況を表示する利用状況表示部２４とを備えるコンピュータシステムであり、予め設定されたコンピュータプログラムによりインターネット利用状況監視方法を実行する。
【００５２】
図３は、インターネット利用状況監視装置１とインターネット利用状況表示装置２の動作を示すフローチャートである。
【００５３】
インターネット利用状況監視装置１のネットワーク監視部１１は信号５Ａを監視する（ステップＳ１）。ネットワーク監視部１１は信号５ＡからＰＣ４のＩＰアドレスと接続先のＩＰアドレスとを取得する。情報登録部１２はこの接続先のＩＰアドレスを情報ＤＢ１３に照合する（ステップＳ３）。そしてこの接続先のＩＰアドレスの一部あるいは全部が情報ＤＢ１３に登録されているか否かを判定し（ステップＳ５）、ＮＯと判定されたときは、情報登録部１２は情報ＤＢ１３に登録を行う（ステップＳ７）。このとき情報登録部１２は、当該接続先のＩＰアドレスと、当該接続先のコンピュータの属するカテゴリを示すカテゴリＩＤと、必ず表示するか否かを示す表示フラグとを対応づけて情報ＤＢ１３に記憶させる。
【００５４】
さて、ステップＳ５でＹＥＳと判定されたときは、照会情報制御部１４は、情報ＤＢ１３でその接続先のＩＰアドレスに対応づけられたカテゴリＩＤおよび表示フラグを参照する（ステップＳ９）。そして、送信部１５が当該ＰＣ４のＩＰアドレスと当該参照したカテゴリＩＤおよび表示フラグをインターネット利用状況表示装置２へ送信する（ステップＳ１１）。
【００５５】
なお、かかる各ステップが本発明のインターネット利用状況監視段階を構成している。
【００５６】
インターネット利用状況表示装置２の受信部２１は、送信部１５から送信されたＩＰアドレスとカテゴリＩＤと表示フラグを受信する（ステップＳ２１）。すると情報記憶部２２は、このＰＣ４のＩＰアドレスとカテゴリＩＤと表示フラグに、情報記憶部２２のタイマーで計時した受信時刻を付与して記憶する（ステップＳ２３）。次に情報表示制御部２３は、その表示フラグが必ず表示する旨を示すものであるか否かを判定する（ステップＳ２５）。ＮＯと判定されたときは情報表示制御部２３は、情報記憶部２２に同一の情報（ＰＣ４のＩＰアドレスとカテゴリＩＤ）が、予め情報表示制御部２３に設定された時間内に、同じく予め情報表示制御部２３に設定された回数記憶されたか否かを判定する（ステップＳ２７）。
【００５７】
ステップＳ２５またはステップＳ２７でＹＥＳと判定されたときは、情報表示制御部２３は、利用状況を表示させるための表示情報を生成して利用状況表示部２４に送信する。具体的には、情報表示制御部２３は、情報記憶部２２を参照して、インターネット利用状況監視装置１から受信した当該情報の最初の受信時刻と最後の受信時刻との差分を接続時間（本発明の利用時間に相当する）として求め、この接続時間ならびに、これら各受信時刻を付与されて記憶されているＩＰアドレス及びカテゴリＩＤを表示情報として利用状況表示部２４に送信する（ステップＳ２９）。すると、利用状況表示部２４は表示情報に基づいた利用状況の表示を行う（ステップＳ３１）。一方、ステップＳ２７でＮＯと判定されたときは、当該ＩＰアドレスを消去情報として送信する（ステップＳ３３）。すると、利用状況表示部２４は消去情報に基づいた利用状況の消去を行う（ステップＳ３５）。
【００５８】
なお、かかる各ステップが本発明のインターネット利用状況表示段階を構成している。
【００５９】
図４は、利用状況表示部２４による利用状況の表示形態の一例を示す図である。
【００６０】
利用状況表示部２４は、情報表示制御部２３から表示情報が送信されると、その表示情報に含まれるＩＰアドレスに対応する列と、その表示情報に含まれるカテゴリＩＤに対応する行との交差する部分に、その表示情報に含まれる接続時間を表示する。また利用状況表示部２４は、情報表示制御部２３から消去情報が送信されると、その消去情報に含まれるＩＰアドレスに対応する列の表示内容を消去する。
【００６１】
なお、インターネット利用状況表示装置２の利用状況表示部２４は、情報表示制御部２３から送信された表示情報に含まれるＩＰアドレスに対応する表示部分を当該表示情報のカテゴリＩＤに応じた色や模様で表示するようにしてもよい。
【００６２】
なお、上記説明した処理を実行させるコンピュータプログラムは、半導体メモリ、磁気ディスク、光ディスク、光磁気ディスク、磁気テープなどのコンピュータ読み取り可能な記録媒体に記録したり、インターネット網などの通信網を介して伝送させて、広く流通させることができる。
【００６３】
また、本実施の形態のＩＰアドレスに代えてＭＡＣアドレスを使用しても勿論よい。また、インターネット利用状況監視表示装置としてインターネット利用状況監視装置１及びインターネット利用状況表示装置２の機能を備えた１台のコンピュータシステムを構成してもよい。
【００６４】
【発明の効果】
以上説明したように、本発明によれば、ＬＡＮに接続されたコンピュータとインターネット網に接続されたコンピュータとの間の信号から該信号に含まれる当該ＬＡＮのコンピュータと当該インターネット網のコンピュータのそれぞれを示す各コンピュータ識別情報を取得するとともに、当該インターネット網のコンピュータのコンピュータ識別情報を基にして当該コンピュータの属するカテゴリを示すカテゴリ識別情報を取得し、前記取得されたＬＡＮのコンピュータのコンピュータ識別情報に対応する表示内容と前記取得されたカテゴリ識別情報に対応する表示内容とを対応づけて表示するので、ＬＡＮ経由のインターネット網の利用状況を監視してリアルタイムに表示することができる。
【図面の簡単な説明】
【図１】本発明の一実施の形態におけるネットワークの構成を示す図である。
【図２】情報ＤＢ１３に記憶される情報の構成を示す図である。
【図３】インターネット利用状況監視装置１とインターネット利用状況表示装置２の動作を示すフローチャートである。
【図４】利用状況表示部２４による利用状況の表示形態の一例を示す図である。
【符号の説明】
１　インターネット利用状況監視装置
２　インターネット利用状況表示装置
３　インターネット接続装置
４　パーソナルコンピュータ
５　通信回線
５Ａ　信号
６　インターネット網
１１　ネットワーク監視部
１２　情報登録部
１３　情報ＤＢ
１４　照会情報制御部
１５　送信部
２１　受信部
２２　情報記憶部
２３　情報表示制御部
２４　利用状況表示部
【図１】
2004046526.tif 000003
【図２】
2004046526.tif 000004
【図３】
2004046526.tif 000005
【図４】
2004046526.tif 000006